(57)【要約】      （修正有）【課題】靴の側面やバックスキンを傷つけることなく、靴底を初期の状態に再生する（毛羽立った状態にほぐす）ことができ、かつ、経済性に優れた靴底再生装置を提供する。【解決手段】靴底再生装置１は、開口部２２を有し、靴１０が載置される靴載置台２と、軸３１に所定の間隔をあけて螺旋状に巻き付けられ、ブラシ先端部が開口部２２の上方に突き出た二つのブラシ３と、軸を回転させるモータとを備え、ブラシ先端部が、靴１０の靴底と当接し凹凸をつける構成とする。【選択図】図１
0003150069.tif 000002
【実用新案登録請求の範囲】
【請求項１】
開口部を有し、靴が載置される靴載置台と、
軸に所定の間隔をあけて螺旋状に巻き付けられ、ブラシ先端部が前記開口部の上方に突き出た一又は二以上のブラシと、
前記軸を回転させる駆動手段と
を備え、
前記ブラシ先端部が、前記靴の靴底と当接し、前記靴底に凹凸をつけることを特徴とする靴底再生装置。
【請求項２】
前記ブラシが、直径０．２〜１．０のピアノ線を有することを特徴とする請求項１に記載の靴底再生装置。
【請求項３】
前記ブラシを、ダブルヘリカル巻タイプとしたことを特徴とする請求項１又は２に記載の靴底再生装置。
【請求項４】
前記ブラシの下方に、前記靴底から掻き取られた異物を回収する回収容器を備えたことを特徴とする請求項１〜３のいずれか一項に記載の靴底再生装置。
【考案の詳細な説明】
【技術分野】
【０００１】
本考案は、靴底再生装置に関する。
【背景技術】
【０００２】
近年、健康維持を目的として、ボールルームダンス（社交ダンス）やスポーツダンス等が、高齢者の方々の間でも盛んに行われるようになっている。
通常、社交ダンス等においては、一般的な普段履きの靴と異なるダンスシューズが用いられる。すなわち、ダンスシューズは、靴底が柔らかい皮革（バックスキン）になっており、ダンスフロアに傷がつかないようにしてある。また、バックスキンは、本来、毛羽立った状態となっており、この毛羽立った状態のバックスキンによって、速い動きのダンスを行っても、適度な滑りとグリップで、確実なステップを踏むことができる。
【０００３】
また、ダンスが行われるフロアには、ワックスが塗布されている。このため、上記のダンスシューズは、踊っている間に、バックスキンにワックスや塵などの異物がこびり付き、毛羽立った状態がワックスを塗り固めた状態となる。このようなダンスシューズは、必要以上に滑りやすくなり、上級レベルのダンサーにとっても、ダンスに支障をきたす場合がある。また、健康維持を目的とする高齢者の方々にとっては、靴底が滑りやすくなることは、転倒する危険性が増大するので、骨折することなどを考慮すると、せっかくの楽しみを諦めなければならなくなる場合もある。
このため、靴底の異物を容易に除去することを目的として、様々な技術が開発されている。
【０００４】
たとえば、特許文献１には、靴を履いたままの状態で靴底を支持し、靴底の摺動を案内する靴底載置台と、靴底に付着した異物を掻き取る円筒ブラシ状の掻き取り体とを備えており、掻き取り体は靴底の摺動方向とは逆の方向に回転駆動されていることを特徴とする靴底の付着物除去装置の技術が開示されている。
【先行技術文献】
【特許文献】
【０００５】
【特許文献１】特開２００２−１９１５４３号公報
【考案の概要】
【考案が解決しようとする課題】
【０００６】
しかしながら、上述した靴底の付着物除去装置は、ブラシがほぼ円筒状に形成されている（密接巻タイプのブラシとしてある）ので、靴底より外側のブラシ先端部が靴の側面と当接し、靴の側面を傷つけてしまうといった問題があった。
また、ブラシ先端部と靴底との当接領域が細長い帯状となり、ワックスによって固まった状態の部分（たとえば、異物が付着した部分）が硬くかつ大きい場合であっても、一機に異物を掻き取ろうとするので、バックスキンを傷つけてしまうといった問題があった。
さらに、ブラシ先端部と靴底との当接面積が大きいので、ブラシを回転させるために大きなトルクを必要とし、省エネや製造原価のコストダウンを図ることができないといった問題があった。
【０００７】
本考案は、以上のような問題を解決するために提案されたものであり、靴の側面やバックスキンを傷つけることなく、靴底を初期の状態に再生する（毛羽立った状態にほぐす）ことができ、かつ、経済性に優れた靴底再生装置の提供を目的とする。
【課題を解決するための手段】
【０００８】
上記目的を達成するため、本考案の靴底再生装置は、開口部を有し、靴が載置される靴載置台と、軸に所定の間隔をあけて螺旋状に巻き付けられ、ブラシ先端部が前記開口部の上方に突き出た一又は二以上のブラシと、前記軸を回転させる駆動手段とを備え、前記ブラシ先端部が、前記靴の靴底と当接し、前記靴底に凹凸をつける構成としてある。
【考案の効果】
【０００９】
本考案の靴底再生装置によれば、靴の側面やバックスキンを傷つけることなく、靴底を初期の状態に再生する（毛羽立った状態にほぐす）ことができ、かつ、省エネや製造原価のコストダウンを図ることができる。
【図面の簡単な説明】
【００１０】
【図１】図１は、本考案の第一実施形態にかかる靴底再生装置の概略斜視図を示している。
【図２】図２は、本考案の第一実施形態にかかる靴底再生装置の概略平面図を示している。
【図３】図３は、本考案の第一実施形態にかかる靴底再生装置の概略側面図を示している。
【図４】図４は、図２のＡ−Ａ概略断面図を示している。
【図５】図５は、本考案の第二実施形態にかかる靴底再生装置の概略平面図を示している。
【考案を実施するための形態】
【００１１】
［靴底再生装置の第一実施形態］
図１は、本考案の第一実施形態にかかる靴底再生装置の概略斜視図を示している。
また、図２は、本考案の第一実施形態にかかる靴底再生装置の概略平面図を示しており、図３は、概略側面図を示しており、図４は、図２のＡ−Ａ概略断面図を示している。
図１〜４において、靴底再生装置１は、靴載置台２、ブラシ３、モータ４、及び、回収容器５などを備えている。また、靴１０は、靴底が柔らかい皮革（バックスキン）となっているダンスシューズとしてある。
【００１２】
（靴載置台）
靴載置台２は、正面板、靴載置板２１、上面板、背面板、右側面板及び左側面板を有する箱状（底板の無い箱状）としてあり、靴底再生装置１のカバーとして機能する。この靴載置台２は、ほぼ薄い矩形箱状（底板の無い箱状）の底板２３の各側板に、正面板、背面板、右側面板及び左側面板の下部が螺着される。通常、図示してないが、靴載置台２の正面板、背面板、右側面板及び左側面板は、水平方向に締め込まれる化粧ビスや化粧ビス用座金によって、底板２３の各側板に着脱自在に取り付けられる。
【００１３】
靴載置板２１は、ほぼ矩形状の平板であり、利用者側（正面側）の下方に傾斜している。これにより、利用者は、靴１０を履いたままで、片方の靴１０を容易に靴載置板２１上に載置することができる。
また、靴載置板２１は、ほぼ中央部に矩形状の開口部２２が形成されており、ブラシ３のブラシ先端部が開口部２２から上方に突き出ている。この突出量は、通常、靴載置板２１の上面から（上面の垂直方向に）０．数ｍｍ〜数ｍｍであり、好ましくは１ｍｍ〜８ｍｍ（１ｍｍ以上８ｍｍ以下）であり、さらに好ましくは３ｍｍ〜５ｍｍ（３ｍｍ以上５ｍｍ以下）である。この理由は、１ｍｍ未満であると、靴底のバックスキンを効率よくほぐすことができなくなり、また、８ｍｍを超えると、靴１０の側面やバックスキンに傷をつけるおそれが増大するからである。
【００１４】
また、背面板には、スイッチ４１、電源ケーブル４２、靴底再生装置１の取手や、回収容器５の装入される開口部などが設けられている。スイッチ４１は、モータ４のオンオフを制御し、また、電源ケーブル４２は、モータ４に電力を供給する。
【００１５】
底板２３は、上述したように、ほぼ薄い矩形箱状（底板の無い箱状）としてある。この底板２３の平面形状は、靴載置台２と対応する形状としてあり、靴載置台２の正面板、背面板、右側面板及び左側面板の下部は、底板２３の各側板に嵌め合わされ、底板２３の各側板に螺着される。また、底板２３は、四隅の下面に、ゴムなどからなる脚部が取り付けられており、靴底再生装置１がフロアに対して容易に滑ることを防止する。
【００１６】
また、底板２３は、左右方向の両端部付近の上面に、対向して一対の支持部材２４が取り付けられている。支持部材２４は、所定の厚さ（たとえば、数ｍｍの厚さ）を有する垂直板と水平板とを有しており、水平板が底板２３に螺着されている。さらに、垂直板は、左右方向から見ると、靴載置台２の正面板、靴載置板２１、上面板及び背面板の内側の形状と対応する形状としてある。すなわち、靴載置台２が底板２３に取り付けられると、支持部材２４の垂直板の斜面及び上面が、靴載置台２の靴載置板２１及び上面板と当接する。これにより、靴載置板２１及び上面板の板厚が薄くても（たとえば、板厚が１〜２ｍｍであっても）、靴載置板２１及び上面板は、利用者の全体重を支持することができる。
【００１７】
なお、本実施形態では、靴底再生装置１を持ち運び自在な構成としてあるが、この構成に限定されるものではない。たとえば、靴底再生装置１をフロアに埋設するようにして据え付ける構成としてもよい。この場合、靴載置台２は、上述したカバーである必要はなく、フロアに直接的に取り付けられる靴載置板２１のみからなる構成としてもよい。
また、一対の支持部材２４の垂直板は、図示してないが、複数のリブにより連結される構成としてもよい。このようにすると、支持部材２４の機械的強度を向上させることができる。
【００１８】
（ブラシ）
ブラシ３は、軸３１に所定の間隔をあけてチャンネルブラシ３２が螺旋状に巻き付けられている。すなわち、本実施形態では、チャンネルブラシ３２のブラシ先端部の軸方向幅Ｗが、ブラシ先端部どうしの間隔Ｌとほぼ同じ長さとなる（Ｗ≒Ｌ）ように、チャンネルブラシ３２のチャンネル部が螺旋状（逆ねじ方向の螺旋状）に軸３１に巻き付けられ、この状態で、チャンネル部が軸３１に溶接されている。
なお、本実施形態では、Ｌ≒Ｗとしてあるが、これに限定されるものではない。すなわち、上記の所定の間隔Ｌは、通常、Ｌ＝０．５Ｗ〜３Ｗである。
また、チャンネルブラシ３２のブラシ先端部は、上述したように、靴載置板２１の開口部２２から上方に突き出ている。
【００１９】
また、ブラシ３は、直径０．２〜１．０（０．２以上１．０以下）ｍｍのピアノ線を有する構成としてある。すなわち、チャンネルブラシ３２のブラシ部は、上記のピアノ線からなっている。このようにすると、フロアのワックスにより固まってしまった靴１０のバックスキンを、傷つけることなくかつ効果的にときほぐすことができる。この理由は、ピアノ線の直径が０．２ｍｍ未満であると、固まってしまったバックスキンを効果的にときほぐすことができなくなり、また、ピアノ線の直径が１．０ｍｍを超えると、バックスキンを損傷するおそれがあるからである。
なお、靴１０が、一般的な普段履きの靴である場合には、靴底再生装置１は、つるつる（平滑）になった靴底に適度な凹凸（滑り防止用の傷）を付けることができる。
【００２０】
また、本実施形態では、二つのブラシ３が、正面側から背面側に向かう方向に並設され、二つのブラシ３のブラシ先端部が一つの開口部２２から上方に突き出ている。このようにすると、一つのブラシ３を用いる場合と比べると、バックスキンとの接触面積がほぼ二倍になるので、バックスキンをときほぐす時間を短縮することができる。
【００２１】
また、チャンネルブラシ３２は、両端部付近が、上述した一対の支持部材２４に、それぞれ回転自在に軸支されている。
なお、本実施形態では、チャンネルブラシ３２を用いる構成としてあるが、これに限定されるものではない。たとえば、ブラシ部（針金状又は毛状の部材の集合体）を、所定の間隔をあけて螺旋状に軸３１に植え込む構成としてもよい。
また、二つのブラシ３を用いる構成としてあるが、これに限定されるものではなく、たとえば、一つ又は三つ以上のブラシ３を備える構成としてもよい。
【００２２】
（駆動手段）  
本実施形態の駆動手段は、モータ４、駆動プーリ４３、従動プーリ４４、タイミングベルト４５、及び、付勢プーリ４６などを有しており、二本の軸３１を回転させる。
モータ４は、軸３１を回転させるためのモータである。このモータ４は、シャフトが右側の支持部材２４の貫通孔から右側方向に突き出た状態で、フランジ面が、右側の支持部材２４の垂直板に螺着されている。上記のシャフトには、駆動プーリ４３が取り付けられている。
また、モータ４は、ギア付きモータとしてあるが、モータの種類は特に限定されるものではなく、たとえば、トルクリミッター付きモータなどを用いてもよい。
【００２３】
軸３１の右側の端部は、支持部材２４の貫通孔から右側方向に突き出ており、端部には、従動プーリ４４が取り付けられている。また、一対の従動プーリ４４の間では、付勢プーリ４６が、ほぼ上下方向に位置調整可能に支持部材２４に取り付けられている。タイミングベルト４５は、駆動プーリ４３及び一対の従動プーリ４４に掛けられ、付勢プーリ４６が、タイミングベルト４５に所定のテンションを付与している。これにより、二つの軸３１は、同じ方向（本実施形態では、開口部２２から突き出たブラシ先端部が正面側から背面側に回転する方向）に回転する。
また、上述した駆動手段は、靴載置台２内に収容されているので、美観を損なうことなく、また、安全性を向上させることができる。
【００２４】
（回収容器）
回収容器５は、薄い矩形箱状（上蓋の無い箱状）としてあり、一対の支持部材２４に挟まれた状態で、底板２３上に出し入れ自在に載置される。また、背面側の側板には、取手が設けられており、容易に出し入れすることができる。この回収容器５は、装着されると、一対のブラシ３の下方に位置する。これにより、バックスキンに付着していた異物（たとえば、ワックスや塵など）がブラシ３によって掻き取られると、回収容器５は、落下してくる異物を効率よく回収することができ、使い勝手を向上させることができる。
【００２５】
次に、上述した構成の靴底再生装置１の動作などについて説明する。
靴底再生装置１は、フロアの入口付近などに置かれ、電源ケーブル４２がコンセントに差し込まれている。
まず、靴底再生装置１の利用者は、スイッチ４１をオンにしブラシ３を回転させる。続いて、靴底再生装置１の正面側に立ち、片足を前に出し、靴１０の踵部を靴載置板２１の正面側に載せた状態で、ボール部のバックスキンをブラシ３のブラシ先端部と当接させる。
【００２６】
上記の当接は、上述したほぼ円筒状に形成されたブラシ（密接巻タイプのブラシ）による当接状態とは異なり、チャンネルブラシ３２のブラシ先端部とバックスキンとの当接領域（複数の当接領域）が軸方向（本実施形態では、左方向）に移動しながら、行われる。これにより、ブラシ３は、ワックスによって固まった状態のバックスキンを、軸方向に移動しながら徐々にほぐすことができる、すなわち、ワックスによって固まった状態のバックスキンに適度な凹凸を付けることができる。これにより、靴底再生装置１は、バックスキンに傷つけることなく、かつ、効果的に、バックスキンを毛羽立った状態にほぐすことができる。
【００２７】
また、図示してないが、上述したほぼ円筒状に形成されたブラシ（密接巻タイプのブラシ）を用いた場合には、靴１０の側面近傍では、ブラシ先端部が常に回転しているのに対して、靴底再生装置１は、靴１０の側面近傍と対応するチャンネルブラシ３２のブラシ先端部が、靴載置板２１から突き出る間だけ、靴１０の側面近傍で回転する。すなわち、チャンネルブラシ３２のブラシ先端部が靴１０の側面と当接する時間を大幅に（通常、数分の１に）短縮することができるので、ブラシ３によって靴１０の側面に傷がつくといった不具合を防止することができる。
【００２８】
また、上述したほぼ円筒状に形成されたブラシ（密接巻タイプのブラシ）を用いた場合と比べると、チャンネルブラシ３２のブラシ先端部とバックスキンとの当接面積が小さくなるので、バックスキンをほぐす性能を維持しつつ、ブラシ３から足に作用する外力を低減することができる。すなわち、利用者にとっては、ブラシ３に靴１０の靴底を押し付ける力をコントロールしやすくなる。さらに、誤って、ブラシ３を強く踏み込んでも、足が強制的に動かされてしまうといった不具合を回避することができる。
【００２９】
さらに、靴底再生装置１は、バックスキンにワックスや塵などの異物が付着している場合であっても、これらの異物を効果的に掻き取ることができる。
なお、上述したように、一般的な普段履きの靴に対しては、ブラシが靴底と当接することによって、磨耗によりつるつる（平滑）になった靴底に適度な凹凸を付けることができるので、滑りやすさについて、新品とほぼ同様のレベルまで、靴底を再生することができる。
【００３０】
続いて、靴底再生装置１の利用者は、足を正面側から背面側へ移動させたり、あるいは、背面側から正面側へ移動させたりして、バックスキンをほぼ全体的にほぐすことができる。
次に、片方の靴１０のバックスキンをほぐした利用者は、もう片方の靴１０のバックスキンを同様にほぐし、その後、スイッチ４１をオフにしブラシ３を停止させる。
【００３１】
また、靴底再生装置１は、回収容器５を備えており、チャンネルブラシ３２のブラシ先端部と当接することによってバックスキンから掻き取られた異物が、モータ４に落下する。すなわち、靴底再生装置１は、異物を効率よく回収することができ、使い勝手を向上させることができる。
【００３２】
なお、靴底再生装置１は、利用者の足の移動手順などを特に限定するものではない。すなわち、利用者は、靴１０の靴底を、ブラシ３の軸方向のほぼ中央部に押し付け、そのまま前後方向にゆっくりずらしてもよい。また、たとえば、靴１０の靴底の左側を靴載置板２１上（開口部２２の左側の靴載置板２１上）に載置した状態で、靴底の右側をブラシ３と当接させながら前後方向にゆっくりずらし、続いて、靴底の右側を靴載置板２１上（開口部２２の右側の靴載置板２１上）に載置した状態で、靴底の左側をブラシ３と当接させながら前後方向にゆっくりずらしてもよい。
【００３３】
以上説明したように、本実施形態の靴底再生装置１によれば、靴１０の側面やバックスキンを傷つけることなく、靴底を初期の状態に再生する（毛羽立った状態にほぐす）ことができ、かつ、省エネや製造原価のコストダウンを図ることができる。
【００３４】
［靴底再生装置の第二実施形態］
図５は、本考案の第二実施形態にかかる靴底再生装置の概略平面図を示している。
図５において、本実施形態の靴底再生装置１ａは、第一実施形態の靴底再生装置１と比べると、ブラシ３ａをダブルヘリカル巻タイプとした点などが相違する。なお、本実施形態の他の構成は、靴底再生装置１とほぼ同様としてある。
したがって、図５において、図１〜４と同様の構成部分については同一の符号を付して、その詳細な説明を省略する。
【００３５】
ブラシ３ａは、軸３１に所定の間隔をあけてチャンネルブラシ３２ａが螺旋状（ダブルヘリカル巻き方向）に巻き付けられている。すなわち、本実施形態では、左側半分に対応するチャンネルブラシ３２ａのチャンネル部が螺旋状（逆ねじ方向の螺旋状）に軸３１に巻き付けられ、かつ、右側半分に対応するチャンネルブラシ３２ａのチャンネル部が螺旋状（ねじ方向の螺旋状）に軸３１に巻き付けられ、この状態で、チャンネル部が軸３１に溶接されている。また、左側半分に対応するチャンネルブラシ３２ａ及び右側半分に対応するチャンネルブラシ３２ａのブラシ先端部の軸方向幅Ｗは、ブラシ先端部どうしの間隔Ｌとほぼ同じ長さとなる（Ｗ≒Ｌ）ようにしてある。
【００３６】
このようにすると、利用者は、通常、靴１０の靴底を、ブラシ３ａの軸方向のほぼ中央部に押し付ける。この際、靴底再生装置１ａは、ブラシ３ａから足に作用する外力を大幅に低減することができる。すなわち、靴底の右側半分の部分とブラシ先端部との当接により発生する外力（本実施形態では、右側方向への外力）と、靴底の左側半分の部分とブラシ先端部との当接により発生する外力（本実施形態では、左側方向への外力）とが、ほぼ相殺される。これにより、利用者は、左右方向への外力をほぼ受けることなく、ブラシ３ａに靴底を押し付けることができる。
【００３７】
また、本実施形態では、第一実施形態と同様に、軸３１は、開口部２２から突き出たブラシ先端部が正面側から背面側に回転する方向に、回転する。これにより、左側半分に対応するチャンネルブラシ３２ａのブラシ先端部とバックスキンとの当接領域（複数の当接領域）は、軸方向（本実施形態では、左方向）に移動し、かつ、右側半分に対応するチャンネルブラシ３２ａのブラシ先端部とバックスキンとの当接領域（複数の当接領域）は、軸方向（本実施形態では、右方向）に移動する。すなわち、左方向に移動する当接領域は、バックスキン（左側半分のバックスキン）から離れる方向（左方向）に移動し、右方向に移動する当接領域は、バックスキン（右側半分のバックスキン）から離れる方向（右方向）に移動するので、靴１０の側面にブラシ先端部によって傷がつくといった不具合を、より効果的に防止することができる。
【００３８】
以上説明したように、本実施形態の靴底再生装置１ａによれば、第一実施形態の靴底再生装置１とほぼ同様の効果を奏することができる。さらに、利用者は、左右方向への外力をほぼ受けることなく、ブラシ３ａに靴底を押し付けることができるので、靴底再生装置１ａは、利用者に安心感を与えることができる。また、靴底再生装置１ａは、靴１０の側面にブラシ先端部によって傷がつくといった不具合を、より効果的に防止することができる。
【００３９】
以上、本考案の靴底再生装置について、好ましい実施形態を示して説明したが、本考案に係る靴底再生装置は、上述した実施形態にのみ限定されるものではなく、本考案の範囲で種々の変更実施が可能であることは言うまでもない。
例えば、モータ４は、スイッチ４１によってオンオフ制御される構成としてあるが、これに限定されるものではない。たとえば、靴１０を検出するセンサを靴載置台２に取り付け、このセンサが、靴１０を検出するとモータ４を回転させ、靴１０を検出しないとき、モータ４を停止させる構成としてもよい。
【符号の説明】
【００４０】
１、１ａ  靴底再生装置
２  靴載置台
３、３ａ  ブラシ
４  モータ
５  回収容器
１０  靴
２１  靴載置板
２２  開口部
２３  底板
２４  支持部材
３１  軸
３２、３２ａ  チャンネルブラシ
４１  スイッチ
４２  電源ケーブル
４３  駆動プーリ
４４  従動プーリ
４５  タイミングベルト
４６  付勢プーリ
【図１】
0003150069.tif 000003
【図２】
0003150069.tif 000004
【図３】
0003150069.tif 000005
【図４】
0003150069.tif 000006
【図５】
0003150069.tif 000007
【手続補正書】
【提出日】平成21年2月23日(2009.2.23)
【手続補正１】
【補正対象書類名】実用新案登録請求の範囲
【補正対象項目名】請求項２
【補正方法】変更
【補正の内容】
【請求項２】
前記ブラシが、直径０．２〜１．０ｍｍのピアノ線を有することを特徴とする請求項１に記載の靴底再生装置。